(57)【特許請求の範囲】
【請求項１】
複数の画素から成る液晶表示パネルを入力データに基づいて液晶駆動電圧を変える液晶表示装置によってカラー表示するための液晶駆動方法において、
前記入力データにより、複数の前記画素からなる複数の文字（キャラクタ）の該キャラクタ毎、及び、画像をなす前記複数の画素の各々からなる複数のセグメントの該セグメント毎の表示色を設定し、
この入力データに基づいて、それぞれ指定された色に対応する駆動信号を生成して前記液晶表示パネルの各信号電極に印加することによって、前記キャラクタ毎、及び、前記セグメント毎に、各々指定された色で表示することを特徴とする液晶駆動方法。
【請求項２】
対向する一対の電極間に液晶層が介装されてなる液晶セルの、少なくとも光が入射する側の面に、直接又は位相差板を介して偏光板が配置されて構成される液晶表示パネルを備え、
前記液晶層を透過する光を液晶の複屈折作用により楕円偏光させ、前記液晶層に印加する液晶駆動電圧を変えて液晶層のリタデーションを変化させることにより、楕円偏光の偏光状態を変化させ透過光の色を変化させる液晶表示パネルを入力データに基づき液晶表示装置によってカラー表示するための液晶駆動方法であって、
前記液晶表示パネルは、複数の画素からなるドットパターンより成り、所定の表示色を有する文字（キャラクタ）を複数表示する第１の表示領域と、各々が所定の表示色を有するセグメントをなす複数の画素を備え、少なくとも１つの前記セグメントより成る画像を表示する第２の表示領域とを有し、
前記入力データは、前記第１の表示領域に対し、前記キャラクタ毎の種類を指定するキャラクタデータと、該キャラクタ毎の表示色を指定する表示色データと、該キャラクタ毎の前記液晶表示パネルにおける表示位置を指定する表示位置データと、前記第２の表示領域に対し、前記画像の前記セグメント毎の表示色を指定する表示色データを含む画像データとから成り、
前記液晶表示装置は、前記入力データに基づき、前記第１の表示領域に対して、前記表示位置データに応じて前記キャラクタデータと前記表示色データを合成したデータと、前記第２の表示領域に指定された前記画像データと、に基づいて、前記液晶表示パネルの各信号線に対する指定された色に対応する駆動信号を生成して、該各信号電極に印加することによって、前記第１の表示領域の指定された表示位置に前記複数のキャラクタを表示し、該各キャラクタを成す複数の前記各画素を一括して指定された表示色で表示して、前記キャラクタ毎に指定された表示色で表示し、前記第２の表示領域に、前記画像を成す前記各セグメントを各々指定された色で表示して、前記画像を指定された色で表示することを特徴とする液晶駆動方法。
【請求項３】
前記液晶表示装置は、前記第１の表示領域における前記複数のキャラクタの表示位置に対応したアドレスに、前記各キャラクタの前記キャラクタデータに応じたキャラクタコード及び前記表示色データを記憶し、前記第２の表示領域における前記セグメント毎の表示色データを記憶するメモリを有し、
前記メモリに記憶された前記キャラクタ毎のキャラクタコード及び前記各表示色データと、前記セグメント毎の表示色データとを読み出し、
読み出された前記キャラクタ毎の前記キャラクタコード及び前記表示色データと、前記キャラクタ毎の前記表示色データとに基づいて、前記液晶表示パネルの信号電極に駆動信号を印加することを特徴とする請求項２記載の液晶駆動方法。
【請求項４】
前記液晶表示装置は、前記表示色データを対応する階調データに変換して前記メモリに記憶し、
該メモリから前記階調データを読み出し、所定のパルス幅の駆動信号に変換して前記液晶表示パネルの信号電極に印加して前記キャラクタ及び前記画像を各々指定した色で表示することを特徴とする請求項３記載の液晶駆動方法。
【請求項５】
前記階調データはｎビットから成り、前記キャラクタと前記画像のそれぞれに対して、２のｎ乗数の表示色に対応することを特徴とする請求項４記載の液晶駆動方法。
【請求項６】
対向する一対の電極間に液晶層が介装されてなる液晶セルの、少なくとも光が入射する側の面に、直接又は位相差板を介して偏光板が配置されて構成される液晶表示パネルを備え、
前記液晶層を透過する光を液晶の複屈折作用により楕円偏光させ、前記液晶層に印加する液晶駆動電圧を変えて液晶層のリタデーションを変化させることにより、楕円偏光の偏光状態を変化させ透過光の色を変化させる液晶表示パネルを入力データに基づきカラー表示するための液晶表示装置であって、
前記液晶表示パネルは、複数の画素からなるドットパターンより成り、所定の表示色を有する文字（キャラクタ）を複数表示する第１の表示領域と、各々が所定の表示色を有するセグメントをなす複数の画素を備え、少なくとも１つの前記セグメントより成る画像を表示する第２の表示領域とを有し、
前記入力データは、前記第１の表示領域に対し、前記キャラクタ毎の種類を指定するキャラクタデータと、該キャラクタ毎の表示色を指定する表示色データと、該キャラクタ毎の前記液晶表示パネルにおける表示位置を指定する表示位置データと、前記第２の表示領域に対し、前記画像の前記セグメント毎の表示色を指定する表示色データを含む画像データとから成り、
外部装置から供給される前記入力データと同期信号に基づき各種制御信号を生成する制御手段と、
少なくとも、前記入力データに基づいて、前記表示位置データに対応して前記キャラクタ毎の前記キャラクタデータ及び前記表示色データを記憶するとともに、前記セグメント毎の前記画像データを記憶する記憶手段と、
前記記憶手段から読み出される前記キャラクタデータ及び前記表示色データと、前記記憶手段から読み出される前記画像データとに基づいて、前記第１の表示領域の指定された表示位置に前記複数のキャラクタを指定された表示色で表示し、前記第２の表示領域に、前記画像を成す前記各セグメントを各々指定された色で表示して、前記画像を指定された色で表示する液晶駆動手段と、を備えたことを特徴とする液晶表示装置。
【請求項７】
前記記憶手段は、前記各キャラクタのキャラクタデータに対応するキャラクタコードを記憶する第１の記憶部と、
前記液晶表示パネルの前記第１の表示領域における前記キャラクタ毎の表示位置に対応したアドレスに、該各キャラクタに対応する前記キャラクタコードを記憶する第２の記憶部と、
前記第１の表示領域における前記キャラクタ毎の表示位置に対応したアドレスに、該各キャラクタに対応する前記表示色データを記憶する第３の記憶部と、
前記第２の表示領域に表示される前記画像の前記セグメント毎の前記表示色データを記憶する第４の記憶部と、
を備えたことを特徴とする請求項６記載の液晶表示装置。
【請求項８】
前記画像は複数設けられ、該画像は少なくとも１本の走査ラインによって各々接続され、それぞれの画像は少なくとも各々１本の信号ラインに接続され、前記液晶駆動手段によってカラー表示駆動されることを特徴とする請求項６記載の液晶表示装置。
【請求項９】
前記液晶駆動手段は、前記第１の表示領域と前記第２の表示領域の各走査ラインに対して、線順次走査することによってカラー表示駆動することを特徴とする請求項６記載の液晶表示装置。
【請求項１０】
前記第３の記憶部は、１つの前記キャラクタにつきｎビットで２のｎ乗の表示色数を記憶することを特徴とする請求項７記載の液晶表示装置。
【請求項１１】
前記第４の記憶部は、１つの前記セグメントにつきｎビットで２のｎ乗の表示色数を記憶することを特徴とする請求項７記載の液晶表示装置。
【請求項１２】
前記第４の記憶部は、前記セグメント毎の前記表示色データのビットをビット毎に分割し、各ビットを、該第４の記憶部の隣り合う番地のメモリエリア間で相対的に同一の位置に保存するようにしたことを特徴とする請求項７記載の液晶表示装置。
【請求項１３】
前記第４の記憶部は、前記セグメント毎の前記表示色データのビットをビット毎に分割し、各ビットを、該第４の記憶部の任意番地のメモリエリア内の隣り合うビットのメモリエリア間で相対的に同一の位置に保存するようにしたことを特徴とする請求項７記載の液晶表示装置。
【請求項１４】
前記第４の記憶部は、前記第１の記憶部に外字として記憶されるキャラクタを構成する画素に対応して、前記表示色データを記憶する記憶領域を隣り合う番地のメモリエリアに設定するようにしたことを特徴とする請求項７記載の液晶表示装置。
【発明の詳細な説明】
【０００１】
【発明の属する技術分野】
本発明は、カラー液晶表示装置における液晶駆動方法に係り、詳細には、液晶の複屈折性を利用して入力画像をカラー表示させる際に好適な液晶駆動方法に関する。
【０００２】
【従来の技術】
従来、テレビやパーソナルコンピュータや腕時計等における表示装置として、液晶表示装置が公知であり、近年、液晶カラーテレビやコンピュータ端末のカラーディスプレイ等のように、有彩色の表示を行うことのできるカラー液晶表示装置も一般化してきている。
【０００３】
カラー液晶表示装置においては、一般に、その表示体は、液晶セルを一対の偏光板で挟み、一方の偏光板の外側にバックライト（照明光源）を配置した透過型のものである。その場合の液晶セルは、相対峙する一対の透明電極の間に液晶を挟んで形成されていて、その一方の透明電極側に特定の波長光を選択的に透過させるカラーフィルタが設けられている。
【０００４】
そして、一対の透明電極間に印加する駆動電圧をオン／オフすることによって、バックライトの光を液晶表示体を透過／非透過させ、そのバックライトの光が、液晶表示体内のカラーフィルタを透過する際に、そのカラーフィルタによって選択透過される特定色に着色される。その着色された透過光が液晶表示体から出射して、カラーフィルタの色に着色された表示が得られる。
つまり、従来の液晶表示体では、液晶セルは単に光スイッチとして機能しているだけであり、光の着色はカラーフィルタによりなされている。
【０００５】
【発明が解決しようとする課題】
しかしながら、カラーフィルタは一般に光透過率が小さいため、上記従来のカラーフィルタを用いるカラー液晶表示装置では、透過光の光損失が大きくなり、表示が暗くなる傾向がある。
【０００６】
特に、電卓や時計等のそれほど精細な表示を要しない簡易的な表示部に用いられる反射型の液晶表示装置の場合は、専用の光源（バックライト）を備えていない上に、カラーフィルタを設けた場合に反射前と反射後とで二度カラーフィルタを透過して光損失を受けるため、反射型でカラーフィルタによるカラー化は極めて困難である。
また、カラーフィルタは、偏光等の他の光学素子と同様に厚さ等の寸法やその組み付けに高精度が要求され、液晶表示装置のコストアップの原因となる。
【０００７】
本発明の目的は、反射型の液晶表示装置においてカラーフィルタを用いずに入力文字のカラー表示を可能とする液晶駆動方法を提供することである。
【０００８】
【課題を解決するための手段】
請求項１記載の発明の液晶駆動方法は、複数の画素から成る液晶表示パネルを入力データに基づいて液晶駆動電圧を変える液晶表示装置によってカラー表示するための液晶駆動方法において、前記入力データにより、複数の前記画素からなる複数の文字（キャラクタ）の該キャラクタ毎、及び、画像をなす前記複数の画素の各々からなる複数のセグメントの該セグメント毎の表示色を設定し、この入力データに基づいて、それぞれ指定された色に対応する駆動信号を生成して前記液晶表示パネルの各信号電極に印加することによって、前記キャラクタ毎、及び、前記セグメント毎に、各々指定された色で表示することを特徴としている。
【０００９】
請求項２記載の発明の液晶駆動方法は、対向する一対の電極間に液晶層が介装されてなる液晶セルの、少なくとも光が入射する側の面に、直接又は位相差板を介して偏光板が配置されて構成される液晶表示パネルを備え、前記液晶層を透過する光を液晶の複屈折作用により楕円偏光させ、前記液晶層に印加する液晶駆動電圧を変えて液晶層のリタデーションを変化させることにより、楕円偏光の偏光状態を変化させ透過光の色を変化させる液晶表示パネルを入力データに基づき液晶表示装置によってカラー表示するための液晶駆動方法であって、前記液晶表示パネルは、複数の画素からなるドットパターンより成り、所定の表示色を有する文字（キャラクタ）を複数表示する第１の表示領域と、各々が所定の表示色を有するセグメントをなす複数の画素を備え、少なくとも１つの前記セグメントより成る画像を表示する第２の表示領域とを有し、前記入力データは、前記第１の表示領域に対し、前記キャラクタ毎の種類を指定するキャラクタデータと、該キャラクタ毎の表示色を指定する表示色データと、該キャラクタ毎の前記液晶表示パネルにおける表示位置を指定する表示位置データと、前記第２の表示領域に対し、前記画像の前記セグメント毎の表示色を指定する表示色データを含む画像データとから成り、前記液晶表示装置は、前記入力データに基づき、前記第１の表示領域に対して、前記表示位置データに応じて前記キャラクタデータと前記表示色データを合成したデータと、前記第２の表示領域に指定された前記画像データと、に基づいて、前記液晶表示パネルの各信号線に対する指定された色に対応する駆動信号を生成して、該各信号電極に印加することによって、前記第１の表示領域の指定された表示位置に前記複数のキャラクタを表示し、該各キャラクタを成す複数の前記各画素を一括して指定された表示色で表示して、前記キャラクタ毎に指定された表示色で表示し、前記第２の表示領域に、前記画像を成す前記各セグメントを各々指定された色で表示して、前記画像を指定された色で表示することを特徴としている。
【００１０】
この場合、請求項３記載の発明の液晶駆動方法のように、
前記液晶表示装置は、前記第１の表示領域における前記複数のキャラクタの表示位置に対応したアドレスに、前記各キャラクタの前記キャラクタデータに応じたキャラクタコード及び前記表示色データを記憶し、前記第２の表示領域における前記セグメント毎の表示色データを記憶するメモリを有し、前記メモリに記憶された前記キャラクタ毎のキャラクタコード及び前記各表示色データと、前記セグメント毎の表示色データとを読み出し、読み出された前記キャラクタ毎の前記キャラクタコード及び前記表示色データと、前記キャラクタ毎の前記表示色データとに基づいて、前記液晶表示パネルの信号電極に駆動信号を印加することが有効である。
【００１１】
また、請求項４記載の発明の液晶駆動方法のように、
前記液晶表示装置は、前記表示色データを対応する階調データに変換して前記メモリに記憶し、該メモリから前記階調データを読み出し、所定のパルス幅の駆動信号に変換して前記液晶表示パネルの信号電極に印加して前記キャラクタ及び前記画像を各々指定した色で表示することが有効である。
【００１２】
さらに、請求項５記載の発明の液晶駆動方法のように、
前記階調データはｎビットから成り、前記キャラクタと前記画像のそれぞれに対して、２のｎ乗数の表示色に対応する。
【００１３】
請求項６記載の発明の液晶表示装置は、対向する一対の電極間に液晶層が介装されてなる液晶セルの、少なくとも光が入射する側の面に、直接又は位相差板を介して偏光板が配置されて構成される液晶表示パネルを備え、前記液晶層を透過する光を液晶の複屈折作用により楕円偏光させ、前記液晶層に印加する液晶駆動電圧を変えて液晶層のリタデーションを変化させることにより、楕円偏光の偏光状態を変化させ透過光の色を変化させる液晶表示パネルを入力データに基づきカラー表示するための液晶表示装置であって、前記液晶表示パネルは、複数の画素からなるドットパターンより成り、所定の表示色を有する文字（キャラクタ）を複数表示する第１の表示領域と、各々が所定の表示色を有するセグメントをなす複数の画素を備え、少なくとも１つの前記セグメントより成る画像を表示する第２の表示領域とを有し、前記入力データは、前記第１の表示領域に対し、前記キャラクタ毎の種類を指定するキャラクタデータと、該キャラクタ毎の表示色を指定する表示色データと、該キャラクタ毎の前記液晶表示パネルにおける表示位置を指定する表示位置データと、前記第２の表示領域に対し、前記画像の前記セグメント毎の表示色を指定する表示色データを含む画像データとから成り、外部装置から供給される前記入力データと同期信号に基づき各種制御信号を生成する制御手段と、少なくとも、前記入力データに基づいて、前記表示位置データに対応して前記キャラクタ毎の前記キャラクタデータ及び前記表示色データを記憶するとともに、前記セグメント毎の前記画像データを記憶する記憶手段と、前記記憶手段から読み出される前記キャラクタデータ及び前記表示色データと、前記記憶手段から読み出される前記画像データとに基づいて、前記第１の表示領域の指定された表示位置に前記複数のキャラクタを指定された表示色で表示し、前記第２の表示領域に、前記画像を成す前記各セグメントを各々指定された色で表示して、前記画像を指定された色で表示する液晶駆動手段と、を備えたことを特徴としている。
【００１４】
この場合、請求項７記載の液晶表示装置のように、
前記記憶手段は、前記各キャラクタのキャラクタデータに対応するキャラクタコードを記憶する第１の記憶部と、前記液晶表示パネルの前記第１の表示領域における前記キャラクタ毎の表示位置に対応したアドレスに、前記キャラクタのコードを記憶する第２の記憶部と、前記第１の表示領域における前記キャラクタ毎の表示位置に対応したアドレスに、該各キャラクタに対応する前記表示色データを記憶する第３の記憶部と、前記第２の表示領域に表示される前記画像の前記セグメント毎の前記表示色データを記憶する第４の記憶部と、を備えたことを特徴としている。
【００１５】
また、請求項８記載の液晶表示装置のように、
前記画像は複数設けられ、該画像は少なくとも１本の走査ラインによって各々接続され、それぞれの画像は少なくとも各々１本の信号ラインに接続され、前記液晶駆動手段によってカラー表示駆動される。
【００１６】
また、請求項９記載の液晶表示装置のように、
前記液晶駆動手段は、前記第１の表示領域と前記第２の表示領域の各走査ラインに対して、線順次走査することによってカラー表示駆動する。
【００１７】
さらに、請求項１０記載の液晶表示装置のように、
前記第３の記憶部は、１つの前記キャラクタにつきｎビットで２のｎ乗の表示色数を記憶する。
【００１８】
さらに、請求項１１記載の液晶表示装置のように、
前記第４の記憶部は、１つの前記セグメントにつきｎビットで２のｎ乗の表示色数を記憶する。
【００１９】
さらに、請求項１２記載の液晶表示装置のように、
前記第４の記憶部は、前記セグメント毎の前記表示色データのビットをビット毎に分割し、各ビットを、該第４の記憶部の隣り合う番地のメモリエリア間で相対的に同一の位置に保存するようにしてもよい。
【００２０】
さらに、請求項１３記載の液晶表示装置のように、
前記第４の記憶部は、前記セグメント毎の前記表示色データのビットをビット毎に分割し、各ビットを、該第４の記憶部の任意番地のメモリエリア内の隣り合うビットのメモリエリア間で相対的に同一の位置に保存するようにしてもよい。
【００２１】
さらに、請求項１４記載の液晶表示装置のように、
前記第４の記憶部は、前記第１の記憶部に外字として記憶されるキャラクタを構成する画素に対応して、前記表示色データを記憶する記憶領域を隣り合う番地のメモリエリアに設定するようにしてもよい。
【００２２】
請求項１記載の発明の液晶駆動方法によれば、複数の画素から成る液晶表示パネルを入力データに基づき液晶表示装置によってカラー表示するための液晶駆動方法において、前記入力データにより、複数の前記画素からなる複数の文字（キャラクタ）の該キャラクタ、及び、画像をなす前記複数の画素の各々からなる複数のセグメントの該セグメント毎の表示色が設定され、この入力データに基づいて、それぞれ指定された色に対応する駆動信号が生成されて前記液晶表示パネルの各信号電極に印加されることによって、前記キャラクタ毎、及び、前記セグメント毎に、各々指定された色で表示される。
【００２３】
請求項２記載の発明の液晶駆動方法によれば、対向する一対の電極間に液晶層が介装されてなる液晶セルの、少なくとも光が入射する側の面に、直接又は位相差板を介して偏光板が配置されて構成される液晶表示パネルを備え、前記液晶層を透過する光を液晶の複屈折作用により楕円偏光させ、前記液晶層に印加する液晶駆動電圧を変えて液晶層のリタデーションを変化させることにより、楕円偏光の偏光状態を変化させ透過光の色を変化させる液晶表示パネルを入力データに基づき液晶表示装置によってカラー表示するための液晶駆動方法であって、前記液晶表示パネルは、複数の画素からなるドットパターンより成り、所定の表示色を有する文字（キャラクタ）を複数表示する第１の表示領域と、各々が所定の表示色を有するセグメントをなす複数の画素を備え、少なくとも１つの前記セグメントより成る画像を表示する第２の表示領域とを有し、前記入力データは、前記第１の表示領域に対し、前記キャラクタ毎の種類を指定するキャラクタデータと、該キャラクタ毎の表示色を指定する表示色データと、該キャラクタ毎の前記液晶表示パネルにおける表示位置を指定する表示位置データと、前記第２の表示領域に対し、前記画像の前記セグメント毎の表示色を指定する表示色データを含む画像データとから成り、前記液晶表示装置では、前記入力データに基づき、前記第１の表示領域に対して、前記表示位置データに応じて前記キャラクタデータと前記表示色データを合成したデータと、前記第２の表示領域に指定された前記画像データと、に基づいて、前記液晶表示パネルの各信号線に対する指定された色に対応する駆動信号が生成されて前記液晶表示パネルの各信号電極に印加されることによって、前記第１の表示領域の指定された表示位置に前記複数のキャラクタを表示し、該各キャラクタを成す複数の前記各画素を一括して指定された表示色で表示して、前記キャラクタ毎に指定された表示色で表示し、前記第２の表示領域に、前記画像を成す前記各セグメントを各々指定された色で表示して、前記画像を指定された色で表示する。
【００２４】
したがって、液晶表示パネルの点灯色を変化させ、第１の表示領域からなるキャラクタ表示領域は文字（キャラクタ）単位で、また、第２の表示領域からなる画像表示領域は画素（セグメント）単位で色を付けて表示させることができ、多様な文字及び画像表示を実現することができる。
【００２５】
請求項３記載の発明の液晶駆動方法によれば、
前記液晶表示装置は、前記第１の表示領域における前記複数のキャラクタの表示位置に対応したアドレスに、前記各キャラクタの前記キャラクタデータに応じたキャラクタコード及び前記表示色データを記憶し、前記第２の表示領域における前記セグメント毎の表示色データを記憶するメモリを有し、前記メモリに記憶された前記キャラクタ毎のキャラクタコード及び前記各表示色データと、前記セグメント毎の表示色データとが読み出され、読み出された前記キャラクタ毎の前記キャラクタコード及び前記表示色データと、前記キャラクタ毎の前記表示色データとに基づいて、前記液晶表示パネルの信号電極に駆動信号が印加される。
【００２６】
請求項４記載の発明の液晶駆動方法によれば、
前記液晶表示装置は、前記表示色データを対応する階調データに変換して前記メモリに記憶し、該メモリから前記階調データが読み出され所定のパルス幅の駆動信号に変換されて前記液晶表示パネルの信号電極に印加されて前記キャラクタ及び前記画像が各々指定した色で表示される。
【００２７】
さらに、請求項５記載の発明の液晶駆動方法によれば、
前記階調データはｎビットから成り、前記キャラクタと前記画像のそれぞれに対して、２のｎ乗数の表示色に対応する。
【００２８】
したがって、文字及び画像に対応する階調データを容易に設定することができ、文字単位及び画素単位に表示色の設定を容易に変更することができる。
【００２９】
請求項６記載の発明の液晶表示装置によれば、対向する一対の電極間に液晶層が介装されてなる液晶セルの、少なくとも光が入射する側の面に、直接又は位相差板を介して偏光板が配置されて構成される液晶表示パネルを備え、前記液晶層を透過する光を液晶の複屈折作用により楕円偏光させ、前記液晶層に印加する液晶駆動電圧を変えて液晶層のリタデーションを変化させることにより、楕円偏光の偏光状態を変化させ透過光の色を変化させる液晶表示パネルを入力データに基づきカラー表示するための液晶表示装置であって、前記液晶表示パネルは、複数の画素からなるドットパターンより成り、所定の表示色を有する文字（キャラクタ）を複数表示する第１の表示領域と、少なくとも１つの前記セグメントより成る画像を表示する第２の表示領域とを有し、前記入力データは、前記第１の表示領域に対し、前記キャラクタ毎の種類を指定するキャラクタデータと、該キャラクタ毎の表示色を指定する表示色データと、該キャラクタ毎の前記液晶表示パネルにおける表示位置を指定する表示位置データと、前記第２の表示領域に対し、前記画像の前記セグメント毎の表示色を指定する表示色データを含む画像データとから成り、制御手段により、外部装置から供給される前記入力データと同期信号に基づき各種制御信号が生成され、記憶手段により、少なくとも、前記入力データに基づいて、前記表示位置データに対応して前記キャラクタ毎の前記キャラクタデータ及び前記表示色データを記憶するとともに、前記セグメント毎の前記画像データが記憶され、液晶駆動手段により、前記記憶手段から読み出される前記キャラクタデータ及び前記表示色データと、前記記憶手段から読み出される前記画像データとに基づいて、前記第１の表示領域の指定された表示位置に前記複数のキャラクタを指定された表示色で表示し、前記第２の表示領域に、前記画像を成す前記各セグメントを各々指定された色で表示して、前記画像を指定された色で表示するように駆動される。
【００３０】
したがって、反射型液晶表示パネルの点灯色を変化させ、キャラクタ表示領域は文字単位で、また、画像表示領域は画素単位で色を付けて表示させることができ、多様な文字及び画像表示を実現することができる。
【００３１】
請求項７記載の発明の液晶表示装置によれば、
前記記憶手段は、前記各キャラクタのキャラクタデータに対応するキャラクタコードを記憶する第１の記憶部と、前記液晶表示パネルの前記第１の表示領域における前記キャラクタ毎の表示位置に対応したアドレスに、該各キャラクタに対応する前記キャラクタコードを記憶する第２の記憶部と、前記第１の表示領域における前記キャラクタ毎の表示位置に対応したアドレスに、該各キャラクタに対応する前記表示色データを記憶する第３の記憶部と、前記第２の表示領域に表示される前記画像の前記セグメント毎の前記表示色データを記憶する第４の記憶部と、から構成される。
【００３２】
請求項１２記載の発明の液晶表示装置によれば、
前記第４の記憶部では、前記セグメント毎の前記表示色データのビットをビット毎に分割し、各ビットを、該第４の記憶部の隣り合う番地のメモリエリア間で相対的に同一の位置に保存するように設定される。
【００３３】
請求項１３記載の発明の液晶表示装置によれば、
前記第４の記憶部では、前記セグメント毎の前記表示色データのビットをビット毎に分割し、各ビットを、該第４の記憶部の、任意番地のメモリエリア内の隣り合うビットのメモリエリア間で相対的に同一の位置に保存するように設定される。したがって、表示色データを設定するメモリの利用の効率化を図ることができる。
【００３４】
請求項１４記載の発明の液晶表示装置によれば、前記第４の記憶部では、前記第１の記憶部に外字として記憶されるキャラクタを構成する画素に対応して、前記表示色データを記憶する記憶領域が隣り合う番地のメモリエリアに設定される。したがって、外字として登録するキャラクタの多様な表示を実現することができる。
【００３５】
以上の結果、バックライトを用いない反射型の表示体であっても表示の明るさは充分であり、実用上何等不都合を生じない。従って、カラー液晶表示装置の低廉化、薄型化及び低消費電力化を達成することができるとともに、表示文字及びピクト表示の多様化を図ることができる。
【００３６】
【実施の形態】
以下、図１〜図１６を参照して本発明の実施の形態を詳細に説明する。
図１〜図１６は、本発明を適用したカラー液晶表示装置の実施の形態を示す図である。
まず、構成を説明する。
図１は、本実施の形態のカラー液晶表示装置１の断面を示す図である。
この図において、カラー液晶表示装置１は、液晶表示パネル３及びその駆動を行う駆動制御回路５を備えており、液晶表示パネル３に印加する駆動電圧値に応じて入力画像を異なる色で表示するものである。
【００３７】
液晶表示パネル３は、液晶セル３０を一対の上偏光板４０及び下偏光板４１で挟み、さらに液晶セル３０と上偏光板４０との間に位相差板４２を介装するとともに、下偏光板４１の下面（液晶表示パネル３の裏面）に反射板４３を設けた反射型のものである。
【００３８】
液晶セル３０は、一対の透明基板３１，３２をシール材３３を介して接合し、その内部に液晶層３４を封入したものである。透明基板３１，３２の相対峙する面には、夫々予め透明電極３６，３８が形成されており、さらに各透明電極３６，３８を被うように夫々配向膜３７，３９が形成されている。
【００３９】
配向膜３７，３９は、液晶分子の配向方向を規制する為に設けてあり、例えば配向膜３７，３９表面を布で擦るラビング等の配向処理を施すことにより、その配向処理方向に液晶分子の長軸方向が沿うように近接する液晶分子の配向方向を規制する。これにより、液晶層３４の液晶分子３４ａの配列状態が、一方の透明基板３１から他方の透明基板３２に向けて１８０゜〜２７０゜の角度で捩れる様に並んだ状態となる。即ち、液晶セル３０は、超捩れネマティック（ＳＴＮ）型液晶セルである。
【００４０】
上記位相差板４２は、上偏光板４０を透過した直線偏光を楕円偏光させるもので、その光学軸（進相軸又は遅相軸）を、位相差板４２に隣接する上偏光板４０の透過軸４０ａに対して所定角度斜めにずらした状態で配置されている。
【００４１】
図２には、上記液晶セル３０における配向処理方向と上記位相差板４２の光学軸と上記偏光板４０，４１の透過軸の組合せの一例が、各構成要素毎に模式的平面図で示されている。同図において、片矢印付直線３１ａ，３２ａは夫々液晶セル３０における下側配向膜３７及び上側配向膜３９に施された配向処理方向であり、両矢印付直線４０ａ，４１ａは夫々上偏光板４０及び下偏光板４１の透過軸であり、直線４２ａは位相差板４２の光学軸である。なお、直線Ｓは表示面の左右方向に沿う基準線であり、説明の便宜上設けた。
【００４２】
図２に示すように、液晶セル３０の配向処理方向３１ａ，３２ａは、基準線Ｓに対して互いに逆方向に所定角度θずつ傾いた方向に設定されており、これにより液晶分子３４ａの配向状態は、下側の透明基板３１側から上側の透明基板３２側に向かって矢印Ｔで示す角度と方向にツイストした配向状態となる。
また、位相差板４２の光学軸４２ａは、ここでは遅相軸であり、基準線Ｓに対して所定の傾き角ψで斜めに交差している。さらに、この実施例においては、上下一対の偏光板４０，４１の透過軸４０ａ，４１ａは互いに略平行であり、位相差板４２の光学軸４２ａに対して傾き角φだけ斜め方向にずれている。
【００４３】
以上の構成の液晶表示パネル３を有するカラー液晶表示装置１は、位相差板４２の偏光作用と液晶セル３０の偏光作用とにより、液晶表示パネル３に入射し、反射板４３で反射されて液晶表示パネル３の外に出射する光が着色されるものであり、その際、液晶セル３０に印加する電圧の大きさを駆動制御回路５において変えることにより、表示色を任意に変え得るようになっている。
【００４４】
その着色機構について以下に説明する。外部からの光は、上偏光板４０の透過により直線偏光となり、さらに位相差板４２を透過する過程で、位相差板４２の光学軸４２ａの位置等の光学的配置条件とリタデーションの値に応じた偏光作用を受けて楕円偏光となる。その楕円偏光は、液晶セル３０を通る過程で、さらに液晶セル３０の光学的配置条件とリタデーションの値に応じた偏光作用を受けて、その偏光状態が変わる。
【００４５】
そして、位相差板４２及び液晶セル３０による偏光作用を受けた楕円偏光が下偏光板４１に入射すると、その楕円偏光のうち、下偏光板４１の透過軸４１ａに一致する偏光成分の波長光だけが下偏光板４１を透過する。それ故、下偏光板４１から出射する光（直線偏光）は、着色された状態となる。その色相は、主に位相差板４２のリタデーションと液晶セル３０のリタデーションとによって決まる。
さらに、下偏光板４１を通った光は、反射板４３で反射されて、上述した光経路と逆の経路で液晶表示パネル３の上面側に出射するため、この出射光の色による表示が得られる。
【００４６】
なお、位相差板４２のリタデーションは、位相差板４２の屈折率異方性Δｎと板厚ｄとの積Δｎ・ｄによって決まり、また液晶セル３０のリタデーションは、液晶層３４の屈折率異方性Δｎと液晶層厚ｄとの積Δｎ・ｄと液晶分子３４ａの配向状態とによって決まる。従って、液晶セル３０に印加する電圧値を変えて液晶分子３４ａの配向状態を変化させることにより、液晶セル３０のリタデーションが変わり、液晶セル３０における偏光作用が変化する。
【００４７】
具体的には、液晶セル３０に電圧を印加していない時には、液晶表示パネル３に入射した光は、位相差板４２の偏光作用と、液晶分子３４ａの初期のツイスト角Ｔに応じた偏光作用とを受け、それに応じた楕円偏光となる。そして、下偏光板４１を透過し、反射板４３で反射され、逆の経路を経て、液晶表示パネル３の上面側に出射する。その時の表示色は、上記位相差板４２及び初期のツイスト角Ｔで配向してなる液晶層３４の両者のリタデーションに応じた色となる。
【００４８】
また、液晶セル３０の透明電極３６，３８間に電圧を印加すると、その電圧値を大きくしていくのにともなって液晶分子３４ａは初期のツイスト状態から徐々に立ち上っていく。その立ち上がった配向状態に応じて液晶セル３０のリタデーションが変化し、液晶表示パネル３に入射した光は、位相差板４２の偏光作用と、液晶セル３０の変化したリタデーションに応じた偏光作用とを受け、それに応じた楕円偏光となる。そのため、その時の表示色は、上述した液晶セル３０に電圧を印加していない時の色とは異なる。
【００４９】
さらに、液晶セル３０に、液晶分子３４ａがほぼ垂直に立上り配向する大きさの電圧を印加した時には、液晶セル３０のリタデーションもほぼ“０”となる。よって、液晶セル３０による偏光作用がなくなり、液晶表示パネル３に入射した光は、位相差板４２の偏光作用のみによる楕円偏光となる。そして、その楕円偏光は、下偏光板４１、反射板４３及びその逆の経路を経て、液晶表示パネル３から出射し、位相差板４２のリタデーションに応じた色に着色される。
【００５０】
次に、上記液晶表示パネル３において、４色の表示を行なうように構成された駆動制御回路５の一例を説明する。
図３は、その駆動制御回路５を含むカラー液晶表示装置１の全体構成を示すブロック図である。
この図３において、駆動制御回路５は上記液晶表示パネル３とコントローラ１０の間に接続されており、駆動制御回路５はコントローラ１０から入力される図中のシリアル入力データＤＡＴＡ、シリアルＩ／Ｆシフトクロック信号ＳＣＫ及びシリアルインターフェイス入力用イネーブル信号ＳＴＢにより後述する表示色に応じた階調数を設定した液晶駆動電圧を生成するとともに、その液晶駆動電圧を液晶表示パネル３に印加することにより、入力文字のマルチカラー表示を行わせる。
【００５１】
この入力文字のマルチカラー表示のため駆動制御回路５の概略構成は、図３に示すように、電源部５１、インターフェイス１００、制御部２００、記憶部３００及びＬＣＤ駆動部４００により構成されている。
【００５２】
そして、駆動制御回路５内の詳細構成は、図４に示すように、電源部５１は、電源電圧調整回路５１１、定電圧発生回路５１２、電源昇圧回路５１３、ＬＣＤ用電源合成回路５１４及び電源投入検出／リセット回路５１５により構成され、制御部２００は、発振回路２０１、分周回路２０２、タイミング合成回路２０３、アドレスカウンタ２０４、各種状態レジスタ２０５、命令デコーダ２０６及び電源投入検出／リセット回路２０７により構成され、記憶部３００は、ＤＤＲＡＭ３０１、ピクトＲＡＭ３０２、ＣＧＲＯＭ３０３及びＣＣＲＡＭ３０４により構成され、ＬＣＤ駆動部４００は、階調用ＰＷＭ信号発生回路４０１、並列・直列変換回路４０２、シフトレジスタ４０３、コモン信号発生回路４０４、コモンドライバ回路４０５、ラッチ回路４０６及びドライバ回路＋階調制御回路４０７により構成されている。
【００５３】
電源部５１では、電源電圧調整回路５１１が定電圧発生回路５１２から発生する定電圧を調整し、その定電圧を電源昇圧回路５１３が昇圧すると、ＬＣＤ用電源合成回路５１４でセグメント駆動用電源電圧を合成してドライバ回路＋階調制御回路６４４に供給する。また、電源投入検出／リセット回路５１５では、カラー液晶表示装置１の電源投入を検出して駆動制御回路５内各部のリセット動作を制御する。
【００５４】
外部インターフェイス回路１００は、コントローラ１０から入力されるシリアル入力データＤＡＴＡ、シリアルＩ／Ｆシフトクロック信号ＳＣＫ及びシリアルインターフェイス入力用イネーブル信号ＳＴＢを駆動制御回路５内で処理可能なレベルあるいはデータ変換を行って駆動制御回路５内の各部に出力する。
【００５５】
制御部２００内の発振回路２０１は、コントローラ１０から入力されるシリアルＩ／Ｆシフトクロック信号ＳＣＫにより基準発振信号を発振し、その基準発振信号を分周回路２０２で所定の分周比で分周し、タイミング合成回路２０３でコモンタイミング信号を合成してコモン信号発生回路４０４に供給する。
【００５６】
制御部２００内のアドレスカウンタ２０４は、外部インターフェイス回路１００から入力されるシリアルＩ／Ｆシフトクロック信号ＳＣＫに基づいてＤＤＲＡＭ３０１、ピクトＲＡＭ３０２及びＣＧＲＯＭ３０３内の各表示アドレスを順次カウントし、その表示アドレスをＤＤＲＡＭ３０１、ピクトＲＡＭ３０２及びＣＧＲＯＭ３０３に出力する。
【００５７】
制御部２００内の各種状態レジスタ２０５は、外部インターフェイス回路１００から入力される色パレット指定を一時的に格納する。制御部２００内の命令デコーダ２０６は、外部インターフェイス回路１００から入力されるシリアル入力データＤＡＴＡをデコードして各種実行命令を駆動制御回路５内の各部に出力する。
【００５８】
記憶部３００内のＤＤＲＡＭ（表示データＲＡＭ）３０１は、液晶表示パネル３の図５に示す表示領域３ａ内に設定される１２桁４行の文字表示領域（文字表示１２桁４行，ピクト表示１行）に対応して、図６に示すようにｍ×ｎ×ｏビットのメモリエリアで構成され、その各メモリアドレスは、６ビット（上位２ビット（ＤＤＨ１，ＤＤＨ２），下位４ビット（ＤＤＬ１〜ＤＤＬ４））で構成され、ＣＧＲＯＭ５９内のメモリアドレスと一対一で対応している。そして、ＤＤＲＡＭ３０２は、駆動制御回路５内部のインストラクション命令「ＤＤＲＡＭアドレスデータの書込み」によりアドレスカウンタ２０４においてカウントされるアドレス値でメモリアドレスを指定し、入力された表示文字の文字コードを８ビット構成（上位４ビット，下位４ビット）で記憶し、インストラクション命令「ＤＤＲＡＭデータ書込み」によって記憶した文字コードに対応するＣＧＲＯＭ３０３の文字データを書込み、所定タイミングで並列・直列変換回路４０２に出力する。
【００５９】
記憶部３００内のピクトＲＡＭ３０２は、ユーザプログラムで自由にアイコンやマーク等の絵文字を設定して液晶表示パネル３のピクト表示領域に表示するために設けられたＲＡＭ（Ｒａｎｄｏｍ  Ａｃｃｅｓｓｓ  Ｍｅｍｏｒｙ  ）であり、図７に示すように（８×６）×８ビット（００番地〜０７番地の８文字分）でメモリエリアが構成され、ピクト表示領域のセグメントに対応するビットデータによって各メモリエリアにピクト表示データを格納する。そして、ピクトＲＡＭ３０２の各メモリアドレスは、図７に示すように６ビット（上位３ビット（Ｃ１〜Ｃ３），下位３ビット（Ｌ１〜Ｌ３））で構成され、インストラクション命令「ピクトＲＡＭアドレスデータ」によりアドレスカウンタ２０４においてカウントされるアドレス値でメモリアドレスを指定し、入力されたピクト表示データを格納し、その格納したピクト表示データを所定タイミングで並列・直列変換回路４０２に出力する。
【００６０】
記憶部３００内のＣＧＲＯＭ（キャラクタジェネレータＲＯＭ）３０３は、図８に示すように、５×８ビットで２０８個分と６×８ビットで３２個分の文字フォントを格納するメモリエリアと、６×８ビットで８個分のピクト表示データを格納するメモリエリアを有し、その各メモリアドレスは８ビット（上位４ビット，下位４ビット）で構成され、そのメモリアドレスはＤＤＲＡＭ３０１内のメモリアドレスと一対一で対応している。そして、ＣＧＲＯＭ３０３は、ＤＤＲＡＭ３０１で指定されたメモリアドレスに対応する文字フォントデータが読み出されて、ＤＤＲＡＭ３０１に書込まれた後、所定タイミングでＤＤＲＡＭ３０１から並列・直列変換回路４０２に出力される。
【００６１】
記憶部３００内のＣＣＲＡＭ（文字階調ＲＡＭ）３０４は、液晶表示パネル３の図５に示す表示領域３ａ内に設定される１２桁４行の文字表示領域（文字表示１２桁４行，ピクト表示１行）に対応して、図９に示すように、ｍ×ｎ×ｏビットのメモリエリアで構成され、その各メモリアドレスは、６ビット（上位２ビット（ＣＣＨ１，ＣＣＨ２），下位４ビット（ＣＣＬ１〜ＣＣＬ４））で構成されて、ＤＤＲＡＭ３０１内のメモリアドレスと一対一で対応して、ＤＤＲＡＭ３０１内の各メモリエリアに記憶される表示データに対応して色属性データを記憶するメモリである。ＣＣＲＡＭ３０４は、２ビット構成のＣＣＲＡＭデータにより４種類の階調（色）データをＤＤＲＡＭ３０１内の表示データに重ね合わせることにより、表示される文字フォントとピクト文字を所定の階調（色）で表示することができる。
【００６２】
そして、ＣＣＲＡＭ３０４は、駆動制御回路５内部のインストラクション命令「ＣＣＲＡＭアドレスデータの書込み」によりアドレスカウンタ２０４においてカウントされるアドレス値でメモリアドレスを指定し、外部インターフェイス回路１００から入力された４種類の階調データをインストラクション命令「ＣＣＲＡＭデータ書込み」により指定アドレスに記憶し、その記憶した階調データを所定タイミングで並列・直列変換回路４０２に出力する。
【００６３】
ＬＣＤ駆動部４００内の階調用ＰＷＭ信号発生回路４０１は、上記ＣＣＲＡＭ３０４に記憶される２ビット構成の４種類の階調データに対応してセグメント電極をＰＷＭ（パルス幅変調）駆動するための階調設定用ＰＷＭ信号を、外部インターフェイス回路１００から入力されるシリアルＩ／Ｆシフトクロック信号ＳＣＫに基づいて発生してドライバ回路＋階調制御回路４０７に供給する回路である。例えば、階調データが４ビット構成であるため、液晶表示パネル３の１セグメントに対応する１Ｈ（水平走査期間）を１５等分して１６階調のパルス幅を設定する場合は、ＣＣＲＡＭ３０４から出力される４ビット構成の各階調データ（００００〜１１１１）に対応して階調用ＰＷＭ信号発生回路４０１において階調設定用ＰＷＭ信号に各階調（０〜１５階調）のパルス幅を設定する。
【００６４】
ＬＣＤ駆動部４００内の並列・直列変換回路４０２は、ピクトＲＡＭ３０２、ＣＧＲＯＭ３０３及びＣＣＲＡＭ３０４からそれぞれパラレルで入力されるピクト表示データ、文字フォントデータ及び階調データをシリアルデータに変換してシフトレジスタ４０３に出力する回路である。
ＬＣＤ駆動部４００内のシフトレジスタ４０３は、並列・直列変換回路４０２から入力されるピクト表示データ、文字フォントデータあるいは階調データのシリアルデータを順次記憶してラッチ回路４０６に転送する。
【００６５】
ＬＣＤ駆動部４００内のコモン信号発生回路４０４は、タイミング合成回路２０３から入力されるコモンタイミング信号に基づいて液晶表示パネル３のコモン電極を駆動するコモン駆動信号を順次発生し、発生したコモン駆動信号をコモンドライバ回路４０５に順次転送することにより、その発生されたコモン駆動信号に基づいてコモンドライバ回路４０５により液晶表示パネル３のコモン電極が順次駆動される。
【００６６】
ＬＣＤ駆動部４００内のラッチ回路４０５は、シフトレジスタ４０３から入力されるピクト表示データ、文字フォントデータあるいは階調データのシリアルデータを１Ｈ分ずつラッチしてドライバ回路＋階調制御回路４０７に出力する。  ＬＣＤ駆動部４００内のドライバ回路＋階調制御回路４０７は、ラッチ回路４０６から入力される１Ｈ分のシリアルデータ、階調用ＰＷＭ信号発生回路４０１から入力される階調設定用ＰＷＭ信号及びＬＣＤ用電源合成回路５１４から入力されるセグメント駆動用電源電圧を合成してセグメント駆動信号を生成して液晶表示パネル３のセグメント電極を順次駆動する。
【００６７】
次に、本実施の形態の動作を説明する。
本実施の形態のカラー液晶表示装置１において文字階調表示（色表示）を行う場合の動作について説明する。
本第１の実施の形態のカラー液晶表示装置１において文字階調表示（色表示）を行う際には、本来の文字データ（ＤＤＲＡＭデータ）の他に階調（色）データ（ＣＣＲＡＭデータ）として２ビット／文字のデータを設定しており、その階調データはパレットＡ，Ｂ，Ｃ，Ｄの内容を伴って表示される。この階調（色）データ（ＣＣＲＡＭデータ）とパレットＡ，Ｂ，Ｃ，Ｄの内容の対応例を図１０に示す。
【００６８】
この図１０の対応関係に基づいて１６階調（４ビット）の任意の値（背景色：００００，赤：０１１０，青：１０１１，緑：１１１１）を、パレットＡ，Ｂ，Ｃ，Ｄに割り込ませて設定する。パレットデータの書込みは、駆動制御回路５内のインストラクション命令「パレットデータ書込み」によって行われる。その時、パレットＡのデータにおいては、背景色信号（００００）が入力され、他のＢ，Ｃ，Ｄのパレットにおいては、任意の４ビットデータを入力させる。そりにより、パレットＡ，Ｂ，Ｃ，Ｄの各データは、ＣＣＲＡＭデータ（００），（０１），（１０），（１１）に一対一に対応し、それぞれのパレットの重みに従ったパルス幅で文字が階調（色）表示されるようになる。
【００６９】
例えば、本実施の形態の液晶表示パネル３のように複屈折性を利用し、電圧によって点灯色が制御できるようなカラー液晶表示素子を駆動する場合、上記パルス幅変調による階調制御で点灯色が選択できるように、パレットＡに「００００（背景色）」，パレットＢに「０１１０（赤）」，パレットＣに「１０１１（青）」，パレットＤに「１１１１（緑）」のデータを書込んでおき、ＣＣＲＡＭデータ（２ビット）によって任意にパレットデータを選択して文字に色を付けることができる。
【００７０】
なお、本実施の形態の上記各色を設定するためにセグメント電極に印加される実行電圧値は、１／３３デューティ、１／５バイアスで赤：６．７３〜６．８２Ｖ，青：６．８６〜６．９４Ｖ，緑：７．００〜７．５５Ｖ，背景色６．５５ｖとして設定される。
【００７１】
これらの設定条件に従ってコントローラ１０により６ビット構成のＤＤＲＡＭデータ（文字データ）と６ビット構成のＣＣＲＡＭデータ（階調データ）が外部インターフェイス回路１００に入力されると、アドレスカウンタ２０４によりＤＤＲＡＭ３０１内の６ビット構成のメモリアドレス（上位２ビット（ＤＤＨ１，ＤＤＨ２），下位４ビット（ＤＤＬ１〜ＤＤＬ４））が指定され、駆動制御回路５内部のインストラクション命令「ＤＤＲＡＭアドレスデータの書込み」により入力された表示文字の文字コードを８ビット構成（上位４ビット，下位４ビット）で記憶され、インストラクション命令「ＤＤＲＡＭデータ書込み」によって記憶した文字コードに対応するＣＧＲＯＭ３０３の文字データが書込まれる。
【００７２】
そして、ＣＣＲＡＭ３０４では、アドレスカウンタ２０４によりＣＣＲＡＭ３０４内の６ビット構成のＤＤＲＡＭ３０１のメモリアドレスと一対一で対応するメモリアドレス（上位２ビット（ＣＣＨ１，ＣＣＨ２），下位４ビット（ＣＣＬ１〜ＣＣＬ４））が指定され、駆動制御回路５内部のインストラクション命令「ＣＣＲＡＭアドレスデータの書込み」により、入力されて各種状態レジスタ２０５に記憶されたパレット指定内容により指定された４種類の階調データがインストラクション命令「ＣＣＲＡＭデータ書込み」により指定アドレスに書込まれる。
【００７３】
そして、ＤＤＲＡＭ３０１に書込まれた文字データとＣＣＲＡＭ３０４に書込まれた階調データが所定タイミングでパラレルデータとして並列・直列変換回路４０２に出力される。並列・直列変換回路４０２では、ＤＤＲＡＭ３０１及びＣＣＲＡＭ３０４からパラレルデータで入力される文字データと階調データがシリアルデータに変換されてシフトレジスタ４０３に出力される。
【００７４】
シフトレジスタ４０３では、並列・直列変換回路４０２から入力される文字データ及び階調データのシリアルデータが順次記憶されてラッチ回路４０６に転送されると、ラッチ回路４０６では、シフトレジスタ４０３から入力される文字データ及び階調データのシリアルデータが１Ｈ分ずつラッされしてドライバ回路＋階調制御回路４０７に出力される。ドライバ回路＋階調制御回路４０７では、ラッチ回路４０６から入力される１Ｈ分のシリアルデータ、階調用ＰＷＭ信号発生回路４０１から入力される階調設定用ＰＷＭ信号及びＬＣＤ用電源合成回路５１４から入力されるセグメント駆動用電源電圧が合成されてセグメント駆動信号が生成されて液晶表示パネル３のセグメント電極が順次駆動される。
【００７５】
また、コモン信号発生回路４０４では、タイミング合成回路２０３から入力されるコモンタイミング信号に基づいて液晶表示パネル３のコモン電極を駆動するコモン駆動信号が順次発生され、発生したコモン駆動信号がコモンドライバ回路４０５に順次転送されることにより、その発生されたコモン駆動信号に基づいてコモンドライバ回路４０５により液晶表示パネル３のコモン電極が順次駆動される。
【００７６】
以上の液晶駆動制御により液晶表示パネル３では、文字テータ毎に階調データが付加されて駆動されることになり、すなわち、ＤＤＲＡＭ３０１内の文字データ毎に、ＣＣＲＡＭ３０４内の階調データが付加されて駆動されることにより、例えば、階調データ“０１”がセットされた部分は赤い文字で表示され、階調データが“１０”がセットされた部分は青い文字で表示され、階調データが“１１”がセットされた部分は緑の文字で表示される。
【００７７】
また、液晶表示パネル３のピクト表示に色を付ける場合も同様に、上記文字表示に使われた２ビット構成の階調データと同じ原理をピクトＲＡＭ３０２に格納されるピクト表示データに重み付けすることにより可能となる。すなわち、ピクトＲＡＭ３０２内の番地に色の重み付けを割り振るが、ピクトＲＡＭ３０２内の各ビットが各ピクトとして対応し、偶数番地はピクト属性の色の重み“１”に、奇数番地はピクト属性の色の重み“２”に設定し、ピクトＲＡＭ３０２の重なり合う奇数番地と偶数番地のメモリをペアで使うことにより、上記の文字階調表示における説明と同じように、上記ピクトＲＡＭ３０２の重み付けにパレットＡ，Ｂ，Ｃ，Ｄの内容を伴って階調（色）表示をすることができる。
【００７８】
以上により、階調制御用パルス幅変調方法（ＰＷＭ方法）によって液晶表示パネル３の点灯色を変化させ、表示文字部分は、文字単位（５×８ドット又は６×８ドット）で、ピクト表示部分は、ドット単位で色を付けて表示させることができ、多様な文字表示を実現することができる。
【００７９】
以上のように、本実施の形態のカラー液晶表示装置によれば、従来のカラー液晶表示装置と異なり、カラーフィルタを用いなくても液晶セルに印加する駆動電圧のパルス幅を変えるだけで、入力文字毎あるいはピクト表示文字毎に異なる色で表示することができる。この場合、カラーフィルタを使用しない為に透過光量の損失が格段に少なくなくなり、表示の明るさを充分高くすることができる。
【００８０】
その結果、上記実施例における液晶表示パネル３のように、バックライトを用いない反射型の表示体であっても表示の明るさは充分であり、実用上何等不都合を生じない。従って、カラー液晶表示装置の低廉化、薄型化及び低消費電力化を達成することができるとともに、表示文字及びピクト表示の多様化を図ることができる。
【００８１】
なお、上記実施の形態では、複屈折制御型カラー液晶表示素子に文字及びピクトに色を付けて表示する方法として、階調制御用パルス幅変調方式（ＰＷＭ方式）を使用した場合を説明したが、階調フレーム間引き方法によっても上記のような文字及びピクトの階調（色）表示を実現することができる。
【００８２】
また、上記実施の形態では、ピクトＲＡＭ３０２内の重なり合う奇数番地と偶数番地メモリエリアをペアで使って、ピクト属性の色の重み付けを２ビット構成で設定してピクト表示部分を、ドット単位で色を付けて表示させる場合を説明したが、そのピクト属性の色の重み付けの設定方法は、他にも考えられる。
【００８３】
例えば、図１１にＣＧＲＡＭ３０４内の一部をＣＧＲＡＭ／ピクトＲＡＭとして共用する場合の構成を示すように、このピクトＲＡＭ用のメモリエリアは、ユーザープログラムにより自由にアイコンやマーク等の絵文字を表示制御するためのＲＡＭとする。
【００８４】
そして、上記図１０に示した階調（色）データ（ＣＣＲＡＭデータ）とパレットＡ，Ｂ，Ｃ，Ｄの内容の対応に基づいて、上記図１１に示したピクトＲＡＭの８×６ビット単位に番地が設定されたメモリエリア構成において、例えば、図１２に示すように、０２，０４，０６番地の色の重み“１”とし、０３，０５，０７番地の色の重み“２”とし、０２番地のデータとして「０００１１１１」，０３番地のデータとして「１１０１１００」，０４番地のデータとして「１０」，０５番地のデータとして「１０」，０６番地のデータとして「１１００」，０７番地のデータとして「１１１１」入力した場合、図中の０２番地と０３番地のメモリエリア間を矢印で示すように隣り合う番地の対応するピクトＮｏ．のペアを使って、「００（背景色）」といった図１０に示したパレットデータに対応した階調設定をドット単位で行うことができる。
【００８５】
したがって、ＣＧＲＡＭ３０４の一部をピクトＲＡＭとして共用し、そのピクトＲＡＭの隣り合う番地をペアに使って、それぞれの番地内のドットに重み付けを設定して階調制御を行うことにより、ピクトに色を付けて表示することができ、多様な表示を表現することができる。
【００８６】
また、上記図１１に示したピクトＲＡＭの８×６ビット単位に番地が設定されたメモリエリア構成において、その各メモリエリア内の隣り合うビット（２ビット）に対してピクト属性の色の重み付けを行い、その２ビットをペアとして使用し、図１０のパレットデータと対応した階調設定をドット単位で行うことも可能である。
【００８７】
この場合、例えば、図１３に示すピクトＲＡＭ内の０２〜０７番地のメモリエリアにおいて、０４番地のメモリエリアに示すように列方向に交互に色の重み“１”と“２”を設定するようにし、０２番地のメモリエリアに示すように隣り合うビットのペアで、右側の入力データ“１”に対して色の重み“１”を設定し、左側の入力データ“１（アンダーバー付き）”に対して色の重み“２”と設定することにより、「１１（緑）」といった図１０に示したパレットデータに対応した階調設定をドット単位で行うことができる。
【００８８】
したがって、ピクトＲＡＭの任意の番地内の隣り合うビット（２ビット）に対して階調（色）の重み付けを行いペアで使用することにより、ピクトに色を付けて表示することができ、カラー液晶表示装置において多様な表示を表現することができるとともに、ＣＧＲＡＭとピクトＲＡＭを同一メモリ内で共用することができ、メモリの効率的な利用を図ることができる。
なお、ピクトＲＡＭの任意の番地内の隣り合うビット（２ビット）によって４階調（４色）を制御するようにしたが、この隣り合うビットに限らず、例えば、任意番地内の３ビットを使って階調（色）の重み付けを設定することにより８階調（８色）のピクト表示を表現することができる。
【００８９】
さらに、任意番地内の４ビットに重み付けを設定して使うことにより１６階調（１６色）のピクト表示を表現することも可能である。
但し、上記２ビットの場合と同様に３ビット及び４ビットの場合もパレットデータの設定を増やす必要がある。
【００９０】
また、上記図１１に示したＣＧＲＡＭ３０４の８×６ビット単位に番地が設定されたメモリエリア構成において、その各メモリエリア内の隣り合うビット（２ビット）に対してピクト属性の色の重み付けを行い、その２ビットをペアとして使用し、図１０のパレットデータと対応した階調設定をドット単位で行うことも可能であるが、この階調設定方法を利用して、任意のキャラクタを外字として登録する際にも、そのキャラクタをドット単位で階調設定することができる。
【００９１】
例えば、図１４に示す「１／４」というキャラクタを外字登録する際に、「１」，「／」，「４」の各数字に対して色を付けて表示したい場合、ＣＧＲＡＭ３０４内の００番地に色の重み“１”、０１番地に色の重み“２”を設定する場合は、図１５に示すように、００番地に“１”、０１番地に“０”を設定して、各ドットをペアとして使うことにより、外字登録するキャラクタをドット単位で色付けする。
【００９２】
そして、図１５に示すＣＧＲＡＭ３０４の各ドットをペアで使ったドット単位の色指定により、図１６に示すように、「１／４」のキャラクタの「１」の部分は赤色、「／」の部分は緑色、「４」の部分は青色として、図１０のパレットデータに対応した階調（色）として表示させることができる。
【００９３】
以上のように、ＣＧＲＡＭ３０４内において少なくとも隣り合う各ビットをペアで使って階調（色）の重み付けをすることにより、外字登録するキャラクタをドット単位で階調（色）を付けて登録して、表示させることができ、登録する外字の多様な表示を実現することができる。
【００９４】
【発明の効果】
請求項１及び２記載の発明の液晶駆動方法によれば、液晶表示パネルの点灯色を変化させ、キャラクタ表示領域は文字単位で、また、画像表示領域は画素単位で色を付けて表示させることができ、多様な文字及び画像表示を実現することができる。
【００９５】
請求項３、４及び５記載の発明の液晶駆動方法によれば、文字及び画像に対応する階調データを容易に設定することができ、文字単位及び画素単位に表示色の設定を容易に変更することができる。
【００９６】
請求項６記載の発明の液晶表示装置によれば、反射型液晶表示パネルの点灯色を変化させ、キャラクタ表示領域は文字単位で、また、画像表示領域は画素単位で色を付けて表示させることができ、多様な文字及び画像表示を実現することができる。
【００９７】
請求項７、１２及び１３記載の発明の液晶表示装置によれば、表示色データを設定するメモリの利用の効率化を図ることができる。
【００９８】
以上の結果、バックライトを用いない反射型の表示体であっても表示の明るさは充分であり、実用上何等不都合を生じない。従って、カラー液晶表示装置の低廉化、薄型化及び低消費電力化を達成することができるとともに、表示文字及びピクト表示の多様化を図ることができる。
【００９９】
請求項１４記載の発明の液晶表示装置によれば、外字として登録するキャラクタの多様な表示を実現することができる。
【図面の簡単な説明】
【図１】本発明を適用したカラー液晶表示装置の実施の形態の模式断面図。
【図２】本実施の形態の液晶セルにおける液晶分子の配向方向と位相差板の光学軸と偏光板の透過軸の組合せの一例を、各構成要素毎に示す模式図。
【図３】本実施の形態のカラー液晶表示装置の全体構成を示すブロック図。
【図４】図３の駆動制御回路の内部構成を示すブロック図。
【図５】図３の液晶表示パネルの表示領域の構成を示す図。
【図６】図４のＤＤＲＡＭのメモリ構成を示す図。
【図７】図４のピクトＲＡＭのメモリ構成を示す図。
【図８】図４のＣＧＲＯＭのメモリ構成を示す図。
【図９】図４のＣＣＲＡＭのメモリ構成を示す図。
【図１０】階調データ（ＣＣＲＡＭ）とパレットの設定内容の対応例を示す図。
【図１１】図４のＣＧＲＡＭのメモリ構成を示す図。
【図１２】図１１のピクトＲＡＭにおいて階調データが隣り合う番地のペアで設定される例を示す図。
【図１３】図１１のピクトＲＡＭにおいて階調データがメモリエリア内の隣り合うビットのペアで設定される例を示す図。
【図１４】図４のＣＧＲＡＭに開示登録される数字データの一例を示す図。
【図１５】図１４の数字データに対して図４のＣＧＲＡＭにおいて階調データが隣り合う番地のペアで設定される例を示す図。
【図１６】図１５のＣＧＲＡＭにおける階調設定により色分け表示される数字データを示す図。
【符号の説明】
１    カラー液晶表示装置
３    液晶表示パネル
５    駆動制御回路
１０    コントローラ
３０    液晶セル
３１，３２  透明基板
３３    シール材
３４    液晶層
３６，３８  透明電極
３７，３９  配向膜
４０    上偏光板
４１    下偏光板
４２    位相差板
４３    反射板
５１    電源部
１００  外部インターフェイス回路
２００  制御部
２０１  発振回路
２０２  分周回路
２０３  タイミング合成回路
２０４  アドレスカウンタ
２０５  各種状態レジスタ
２０６  命令デコーダ
２０７  電源投入検出／リセット回路
３００  記憶部
３０１  ＤＤＲＡＭ
３０２  ピクトＲＡＭ
３０３  ＣＧＲＯＭ
３０４  ＣＣＲＡＭ
４００  ＬＣＤ駆動部
４０１  階調用ＰＷＭ信号発生回路
４０２  並列・直列変換回路
４０３  シフトレジスタ
４０４  コモン信号発生回路
４０５  コモンドライバ回路
４０６  ラッチ回路
４０７  ドライバ回路＋階調制御回路
５１１  電源電圧調整回路
５１２  定電圧発生回路
５１３  電源昇圧回路
５１４  ＬＣＤ用電源合成回路
【図１】
0003610418.tif 000002
【図２】
0003610418.tif 000003
【図３】
0003610418.tif 000004
【図４】
0003610418.tif 000005
【図５】
0003610418.tif 000006
【図６】
0003610418.tif 000007
【図７】
0003610418.tif 000008
【図８】
0003610418.tif 000009
【図９】
0003610418.tif 000010
【図１０】
0003610418.tif 000011
【図１１】
0003610418.tif 000012
【図１２】
0003610418.tif 000013
【図１３】
0003610418.tif 000014
【図１４】
0003610418.tif 000015
【図１５】
0003610418.tif 000016
【図１６】
0003610418.tif 000017